(57)【要約】【課題】車椅子に何らの加工を施すことなく簡単に取り付けることができる杖保持装置を提供する。【解決手段】本発明の杖保持装置１は、杖を収納する有底円筒状の杖ケース２と、この杖ケース２を支持する第１および第２の支持部材３、４を備えている。第１の支持部材３は、垂直方向に延びた部材の上部と下部に、杖ケース２を挿入して支持するリング７、８がそれぞれ取り付けられている。第２の支持部材４は第１の支持部材３に固着され、かつ水平方向に延びた部材の両端部背面側に、車椅子の背もたれの上部を挟んだ状態で保持する一対の留め具５、６が取り付けられている。【選択図】図１
2014050633.tif 000002
【特許請求の範囲】
【請求項１】
杖を収納する有底筒状の杖ケースと、
垂直方向に延びた部材の上部と下部に、前記杖ケースを挿入して支持するリングがそれぞれ取り付けられた第１の支持部材と、
前記第１の支持部材に固着され、かつ水平方向に延びた部材の両端部背面側に、車椅子の背もたれの上部を挟んだ状態で保持する一対の留め具が取り付けられた第２の支持部材と、を備えたことを特徴とする車椅子用杖保持装置。
【請求項２】
前記第１の支持部材および第２の支持部材として、板状の部材または棒状の部材を用いることを特徴とする、請求項１に記載の車椅子用杖保持装置。
【請求項３】
前記第１の支持部材および第２の支持部材を、垂直方向に延びた腕部と水平方向に延びた腕部を有する一枚の板で構成したことを特徴とする、請求項２に記載の車椅子用杖保持装置。
【請求項４】
前記杖ケースとして、杖を挿入する開口が設けられた開口部と、挿入された杖を保持する有底の保持部とで構成されたケースを用い、
かつ前記開口部の幅は、前記保持部の幅より広いことを特徴とする、請求項１ないし３のいずれか記載の車椅子用杖保持装置。
【請求項５】
前記第１および第２の支持部材の材料として、ジュラルミンまたは繊維強化プラスチックを用いることを特徴とする、請求項１ないし４のいずれかに記載の車椅子用杖保持装置。
【発明の詳細な説明】
【技術分野】
【０００１】
本発明は、車椅子の背もたれに取り付けることができる着脱式の杖保持装置に関する。
【背景技術】
【０００２】
車椅子には、利用者の便宜を図るためにいくつかの工夫が施されており、その一つとして、利用者が用いる杖を保持する杖保持装置を装着できるようになっている。杖保持装置は、歩行の際に杖が欠かせない利用者にとって不可欠な存在である。
【０００３】
現在使用されている車椅子用の杖保持装置には２つのタイプがある。第１のタイプは、特許文献１に記載されたように、製造当初から車椅子に装着されているものである。特許文献１記載の杖保持装置では、下部に竿の先端が入るホルダが取り付けられ、上部に杖を固定するバンドが取り付けられたスティックを、専用のブラケットを用いて座席の背もたれに固定している。
【０００４】
第２のタイプは、特許文献２に記載されたように、杖保持装置が装着されていない車椅子を購入した後、利用者の要望に応じて車椅子に取り付けられるものである。特許文献２記載の杖保持装置では、杖の先端を入れる杖入れを車輪側面のベースパイプに固定し、杖の上部を保持するベルト片を座席の背もたれに取り付けている。
【先行技術文献】
【特許文献】
【０００５】
【特許文献１】特開平８−１１２３１５号公報
【特許文献２】特開２０００−１０２５６５号公報
【発明の概要】
【発明が解決しようとする課題】
【０００６】
上述した特許文献１または２に記載の杖保持装置を用いれば、杖を確実に、かつ安定した状態で車椅子に保持できる。しかしその反面、従来の杖保持装置は、装着の際に、車椅子にねじ締め用の孔を開けたり、ベルト片を背もたれに縫い付けたりする必要があるため、車椅子に簡単に取り付けることができなかった。
【０００７】
本発明は上述の問題点に鑑みてなされたもので、車椅子に何らの加工を施すことなく、簡単に取り付けることができる杖保持装置を提供することを目的とする。
【課題を解決するための手段】
【０００８】
上記目的を達成するため本発明にかかる車椅子用杖保持装置は、
杖を収納する有底筒状の杖ケースと、
垂直方向に延びた部材の上部と下部に、前記杖ケースを挿入して支持するリングがそれぞれ取り付けられた第１の支持部材と、
前記第１の支持部材に固着され、かつ水平方向に延びた部材の両端部背面側に、車椅子の背もたれの上部を挟んだ状態で保持する一対の留め具が取り付けられた第２の支持部材と、を備えたことを特徴とする。
【０００９】
ここで、前記第１の支持部材および第２の支持部材として、板状の部材または棒状の部材を用いることが好ましい。なお、前記第１の支持部材および第２の支持部材を、垂直方向に延びた腕部と水平方向に延びた腕部を有する一枚の板で構成してもよい。
【００１０】
また前記杖ケースとして、杖を挿入する開口が設けられた開口部と、挿入された杖を保持する有底の保持部とで構成されたケースを用い、かつ前記開口部の幅は、前記保持部の幅より広いことが好ましい。
【００１１】
また、前記第１および第２の支持部材の材料として、ジュラルミンまたは繊維強化プラスチックを用いることが好ましい。
【発明の効果】
【００１２】
本発明にかかる杖保持装置は、車椅子の背もたれに簡単に取り付けることができ、また簡単に取り外すことができる。
【図面の簡単な説明】
【００１３】
【図１】本発明の実施の形態１にかかる車椅子用杖保持装置の正面図（ａ）と側面図（ｂ）である。
【図２】実施の形態１にかかる車椅子用杖保持装置を車椅子の背もたれに取り付けた状態を示す斜視図である。
【図３】本発明の実施の形態２にかかる車椅子用杖保持装置の正面図（ａ）と側面図（ｂ）である。
【図４】実施の形態２にかかる車椅子用杖保持装置を車椅子の背もたれに取り付けた状態を示す斜視図である。
【発明を実施するための形態】
【００１４】
以下、本発明の実施の形態にかかる車椅子用杖保持装置（以降、単に「杖保持装置」という。）について、図面を参照して説明する。
【００１５】
（実施の形態１）
図１（ａ）は、本発明の実施の形態１にかかる杖保持装置１の正面図、図１（ｂ）は、同側面図である。また図２は、本実施の形態にかかる杖保持装置１を車椅子１０の背もたれ１２に取り付けた状態を示す斜視図である。なお、図１では、見易さを考慮して、杖ケース２を二点差線で表示している。
【００１６】
杖保持装置１は、杖１５を挿入した状態で保持する杖ケース２、杖ケース２を支持する第１および第２の支持部材３、４、ならびに第２の支持部材４の背面側に固定され、車椅子１０の背もたれ１２の上部を挟んだ状態で保持する一対の留め具５、６で構成されている。
【００１７】
有底円筒状の杖ケース２は、杖１５を挿入する開口を有する開口部２１と、挿入された杖１５を保持する保持部２２とで構成されている。保持部２２の幅は下方に行くほど狭くなり、その底は、杖１５が落下しないように閉じられている。杖ケース２は、第１の支持部材３の前側の上部と下部に取り付けられたリング７および８により支持されている。
【００１８】
杖ケース２は、加工の容易さから、合成樹脂を円筒状に成形したものを用いているが、断面が楕円状や四角状の筒状部材を用いてもよい。その場合、リング７、８は断面形状に合わせた形状となる。
【００１９】
第１の支持部材３は、垂直方向に延びた金属製または合成樹脂製の板状の部材で構成され、上部と下部にリング７と８が取り付けられている。上部リング７と下部リング８は杖ケース２の保持部２２を挿入して支持するもので、それぞれの直径は杖ケース２の保持部２２の幅に合わせて設定されている。
【００２０】
図１に示すように、杖ケース２の開口部２１とその下の保持部２２では幅（直径）が異なっており、開口部２１の直径は上部リング７の直径とほぼ等しいため、杖ケース２は、上部リング７によって吊り下げられた状態となる。この状態において、上部リング７と下部リング８の内径は、杖ケース２の対応する箇所の直径とほぼ等しいため、杖ケース２は第１の支持部材３によってしっかりと支持される。
【００２１】
第１の支持部材３の上部の背面側に、第１の支持部材３と同じ材料で作製され、かつ水平方向に延びた板状の第２の支持部材４が固着され、更にその両端部の背面側に、一対の留め具５および６が取り付けられている。
【００２２】
留め具５および６は、図１（ｂ）に示すように、平板状の部材を中心部で下方に折り曲げたもので、折り曲げ部分に車椅子１０の背もたれ１２の上部を挿入する。
【００２３】
図２に、杖保持装置１が車椅子１０の背もたれ１２に取り付けられた状態を示す。車椅子１０のフレーム１１の左右の下部には一対の車輪１３、１３が取り付けられ、座席上部のフレーム１１には布製の背もたれ１２が取り付けられている。また杖ケース２には杖１５が挿入され保持されている。
【００２４】
上述したように本実施の形態にかかる杖保持装置１は、杖ケース２を支持する支持部材の背面側上部に、車椅子１０の背もたれ１２の上部を挟んだ状態で保持する一対の留め具５、６を取り付けたものである。この一対の留め具５、６は、背もたれ１２の上部を挟むだけであるため、背もたれ１２に簡単に取り付けることができ、また背もたれ１２から簡単に取り外すことができる。
【００２５】
車椅子１０に杖保持装置１を取り付ける場合、留め具５、６の折り曲げられた箇所に背もたれ１２の上部を挿入して、一対の留め具５、６で背もたれ１２を挟む。
【００２６】
留め具５、６は平板であるため、利用者が車椅子１０に座った状態でも邪魔になることはない。また一対の留め具５、６が第２の支持部材４に間隔を隔てて取り付けられており、背もたれ１１に対して２点で支持されているため、杖ケース２は垂直方向に保たれる。従って、竿ケース２が回転して杖１５が落下するようなことはない。
【００２７】
竿保持装置１を背もたれ１２から取り外す場合、第１の支持部材３を上方に持ち上げれば、一対の留め具５、６が背もたれ１２から外れるため、竿保持装置１を背もたれ１２から簡単に取り外すことができる。
【００２８】
図２に示すように、背もたれ１２の背面側にポケット１４が取り付けられている場合が多く、竿保持装置１を背もたれ１２に取り付けると、ポケット１４から物を取り出したり、物を入れたりする際に邪魔になる。しかし、第１の支持部材３の下部を手で持って後方に引けば、留め具５、６が取り付けられた部分の背もたれ１２が撓んでポケット１４と第１の支持部材３との間に隙間ができるため、ポケット１４から物を取り出したり、物を入れたりする際に竿保持装置１が邪魔になることはない。
【００２９】
次に、杖保持装置１の各部の材質について説明する。第１の支持部材３、第２の支持部材４および留め具５、６として、入手が容易なバネ鋼の薄板を用いる場合が多い。しかし、持ち運びを考慮すると、より軽量で強度のある材料で作製することが好ましい。例えば、金属であればジュラルミンの板、合成樹脂であればガラス繊維や炭素繊維を含んだ繊維強化プラスチックの板が適している。
【００３０】
第１の支持部材３に金属板を用いた場合には、リング７および８を同じ材質の金属で作製し、それを溶接によって第１の支持部材３に固定することが好ましい。第１の支持部材３に合成樹脂板を用いた場合には、リング７および８を第１の支持部材３と同じ材料を用いて一体成形することが好ましい。
【００３１】
留め具５および６の材質については、折り曲げることができ、かつ弾力性が必要とされる。第１および第２の支持部材３、４に金属板を用いた場合には、同じ材質の板を用いて留め具５、６を作製し、溶接により第２の支持部材４に固定することが好ましい。一方、第１および第２の支持部材３、４に合成樹脂板を用いた場合には、同じ材質の板を用いて留め具５、６を作製し、接着剤を用いて第２の支持部材４に固定することが好ましい。
【００３２】
なお、第１および第２の支持部材３、４については、別々の部材を張り合わせたものではなく、一枚の板を、腕部が垂直方向および水平方向に延びた形状に加工したものを、支持部材として用いてもかまわない。支持部材を１枚の板で構成すれば杖保持装置の製造が容易となるため、生産コストを抑えることができる。
【００３３】
（実施の形態２）
図３（ａ）は、本発明の実施の形態２にかかる杖保持装置１ａの正面図、図３（ｂ）は、同側面図である。また図４は、本実施の形態２にかかる杖保持装置１ａを車椅子１０に取り付けた状態を示す斜視図である。
【００３４】
実施の形態１にかかる杖保持装置１では、第１および第２の支持部材３、４ならびに留め具５、６に板状の部材を用いたが、本実施の形態にかかる杖保持装置１ａでは、第１および第２の支持部材３ａ、４ａならびに留め具５ａ、６ａに棒状の部材を用いている。このように主要な部分を棒状の部材で構成することにより、軽量でかさばらず、持ち運びに便利な杖保持装置を実現できる。
【００３５】
なお、留め具５ａ、６ａを棒状の部材で作製した場合、杖保持装置１を背もたれ１１に取り付けたときに、車椅子１０に座った利用者の背中に留め具５ａ、６ａが当たって違和感が生じる恐れもあるが、実際に取り付けたところ、板状の部材と同様に違和感はなかった。
【００３６】
本実施の形態において、第１および第２の支持部材３ａ、４ａ、リング７ａ、８ａならびに留め具５ａ、６ａの機能は、実施の形態１における第１および第２の支持部材３、４、リング７、８ならびに留め具５、６のそれと変わらないため、ここでは説明を省略する。各部材の材質および製造方法についても同様である。
【００３７】
以上説明したように、本発明の杖保持装置を用いれば、車椅子の背もたれに簡単に取り付けることができ、また背もたれから簡単に取り外すことができるため、杖保持装置が装着されていない車椅子に取り付けて使用する杖保持装置として、最適である。
【００３８】
また車椅子の利用者が列車や飛行機を利用して移動する際、乗り物の制約から自分専用の車椅子を乗り物に持ち込めない場合があり、このような場合、移動先で車椅子を借りることになる。本発明の杖保持装置は軽量で持ち運びが容易であるため、移動先で借りた車椅子に取り付ける杖保持装置としても最適である。
【符号の説明】
【００３９】
１、１ａ  杖保持装置
２  杖ケース
３、３ａ  第１の支持部材
４、４ａ  第２の支持部材
５、５ａ、６、６ａ  留め具
７  上部リング
８  下部リング
２１  開口部
２２  保持部
【図１】
2014050633.tif 000003
【図２】
2014050633.tif 000004
【図３】
2014050633.tif 000005
【図４】
2014050633.tif 000006